(57)【特許請求の範囲】
【請求項１】
細長いプリント基板に、同一波長の発光ダイオードを複数個一列に実装して、電源接続用コネクタを設けた光源を複数列着脱可能な枠体に、前記電源接続用コネクタの接続部を複数個備えたコネクタ受を複数設置するとともに、各コネクタ受毎に照度コントロールを可能とし、前記枠体に異波長の光源を組み合わせて取付け、同一波長光源の各電源接続用コネクタを１つのコネクタ受に接続したことを特徴とする植物育成用光源。
【請求項２】
細長いプリント基板に、同一波長の発光ダイオードを複数個一列に実装して、電源接続用コネクタを設けた光源を複数列着脱可能な枠体に、前記電源接続用コネクタの接続部を複数個備えたコネクタ受を設置するとともに、各電源接続用コネクタを前記コネクタ受の接続部に接続したことを特徴とする植物育成用光源。
【請求項３】
細長いプリント基板に、同一波長の発光ダイオードを複数個一列に実装して、電源接続用コネクタを設けた光源を複数列着脱可能な枠体に、前記電源接続用コネクタの接続部を複数個備えたコネクタ受を設置するとともに、前記枠体に異波長の光源を組み合わせて取付け、各電源接続用コネクタを前記コネクタ受の接続部に接続したことを特徴とする植物育成用光源。
【発明の詳細な説明】
【０００１】
【発明の属する技術分野】
本発明は、主として、研究開発を目的とした植物の育種、種苗育成、組織培養、藻類培養等に使用される人工光としての植物育成用光源に関する。
【０００２】
【従来の技術】
植物育成用光源の人工光として、蛍光ランプや植物育成ランプがあるが、これらはいずれも多波長光である。また、近年発光ダイオードを用いたものもあるが、１枚の大きな平面のプリント基板に、同一波長の発光ダイオードを複数個、複数列取り付けたものや、２種以上の波長の異なる発光ダイオードを複数個、複数列取り付けたいわゆる面状の光源となっていた。
【０００３】
【発明が解決しようとする課題】
ところが、上述の光源では、光源の条件が固定されているため、実験対象あるいは育成の対象植物に選択的に必要な波長光を調光照射することが不可能であった。また、光照射の範囲を変えることもできなかった。さらに、発光ダイオードを用いたものでは、面状光源として大きな単位であるため、一部が点灯しなくなった場合等の修理が困難で、しかも、ユーザーの購入単位にフレキシブル性がないため、必要に応じた光源の買い増しや組み替えができない。
【０００４】
そこで本発明は、選択的に必要な波長光を調光照射することや、光照射の範囲の変更が可能で、修理が簡単で、必要に応じた光源の買い増しや組み替えが容易な植物育成用光源を提供することを目的としている。
【０００５】
【課題を解決するための手段】
上記した目的を達成するため、本発明の植物育成用光源は、請求項１の手段では、細長いプリント基板に、同一波長の発光ダイオードを複数個一列に実装して、電源接続用コネクタを設けた光源を複数列着脱可能な枠体に、前記電源接続用コネクタの接続部を複数個備えたコネクタ受を複数設置するとともに、各コネクタ受毎に照度コントロールを可能とし、前記枠体に異波長の光源を組み合わせて取付け、同一波長光源の各電源接続用コネクタを１つのコネクタ受に接続したことを特徴としている。請求項２の手段では、細長いプリント基板に、同一波長の発光ダイオードを複数個一列に実装して、電源接続用コネクタを設けた光源を複数列着脱可能な枠体に、前記電源接続用コネクタの接続部を複数個備えたコネクタ受を設置するとともに、各電源接続用コネクタを前記コネクタ受の接続部に接続したことを特徴とし、請求項３の手段では、細長いプリント基板に、同一波長の発光ダイオードを複数個一列に実装して、電源接続用コネクタを設けた光源を複数列着脱可能な枠体に、前記電源接続用コネクタの接続部を複数個備えたコネクタ受を設置するとともに、前記枠体に異波長の光源を組み合わせて取付け、各電源接続用コネクタを前記コネクタ受の接続部に接続したことを特徴としている。
【０００６】
【発明の実施の形態】
以下、本発明を、図面に示す実施形態例に基づいて、さらに詳細に説明する。植物育成用光源１は、枠体２に、一列毎に波長の異なる光源３を複数列適宜組み合わせて着脱可能に取付け、同一波長の光源３毎に照度コントロールを可能としている。
【０００７】
光源３は、細長いプリント基板４に、同一波長の発光ダイオード５を複数個一列に実装するとともに、表裏に防湿処理を施し、電源接続用コネクタ６を設け、プリント基板４の両端に、枠体２への取付具７を備えたものが一単位となっている。
【０００８】
光源３としては、例えば、光合成の促進に有効な波長６５０〜６８０ｎｍの赤色光源３ａ、植物体の形態形成に有効な波長４００〜４８０ｎｍの青色光源３ｂ、発芽、発根、茎育成や花芽形成に関与する波長７００〜７５０ｎｍの遠赤色光源３ｃが用いられる。
【０００９】
枠体２は、発光ダイオード５が下面から突出するための挿入孔８を複数個、複数列形成し、四隅に吊り下げ用のＳ字状フック９の取付孔１０を有し、一側にコネクタ受１１を複数設置している。
【００１０】
コネクタ受１１は、本実施形態例では４個設けられ、各コネクタ受１１ａ，１１ｂ，１１ｃ，１１ｄは、それぞれ前記電源接続用コネクタ４の接続部を複数個備え、各コネクタ受１１ａ，１１ｂ，１１ｃ，１１ｄ毎に照度コントロールを可能としている。
【００１１】
照度コントロールは、各コネクタ受１１ａ，１１ｂ，１１ｃ，１１ｄ毎に別電源に接続して電圧を調整するか、あるいは、各コネクタ受１１ａ，１１ｂ，１１ｃ，１１ｄ毎に電圧調整装置（図示せず）を介して電源と接続する。
【００１２】
このように構成された植物育成用光源１は、枠体２に、異波長の光源３を所望の組み合わせで所望の配列に取り付けることにより、所望の大きさの発光面を構成することができ、光照射の範囲の変更が可能である。また、同一波長の光源３毎に照度コントロールを可能としたから、選択的に必要な波長光を調光照射することができ、ミックス光として望ましい条件の光環境を設定できる。
【００１３】
さらに、光源３の表裏に防湿処理を施したから、植物育成の高湿度の環境下においても、プリント基板４のパターン腐食や発光ダイオード５の故障を防止できる。また、一部の発光ダイオード５が点灯しなくなった場合等でも、光源３の一単位が一列で枠体２に着脱可能であるから、容易に修理・交換ができる。しかも、必要に応じた光源３の買い増しや組み替えが容易である。さらに、枠体２の四隅に吊り下げ用のＳ字状フック８を取付け可能なので、培養棚１２や、環境試験機、植物育成グロースチャンバ等の機器に簡単に植物育成用光源１を取付けることができる。
【００１４】
【発明の効果】
以上説明したように、本発明の植物育成用光源は、請求項１の手段では、細長いプリント基板に、同一波長の発光ダイオードを複数個一列に実装して、電源接続用コネクタを設けた光源を複数列着脱可能な枠体に、前記電源接続用コネクタの接続部を複数個備えたコネクタ受を複数設置するとともに、各コネクタ受毎に照度コントロールを可能とし、前記枠体に異波長の光源を組み合わせて取付け、同一波長光源の各電源接続用コネクタを１つのコネクタ受に接続したので、枠体に、異波長の光源を所望の組み合わせで所望の配列に取り付けることにより、所望の大きさの発光面を構成することができ、光照射の範囲の変更が可能である。また、同一波長の光源毎に照度コントロールを可能としたから、選択的に必要な波長光を調光照射することができ、ミックス光として望ましい条件の光環境を設定できる。
【００１５】
さらに、請求項１，２，３の手段では、一部の発光ダイオードが点灯しなくなった場合等でも、光源の一単位が一列で枠体に着脱可能であるから、容易に修理・交換ができ、しかも、必要に応じた光源の買い増しや組み替えが容易である。請求項３の手段では、枠体に、異波長の光源を所望の組み合わせで所望の配列に取り付けることにより、所望の大きさの発光面を構成することができ、光照射の範囲の変更が可能である。
【図面の簡単な説明】
【図１】  本発明の一実施形態例を示す植物育成用光源の斜視図である。
【図２】  光源の正面図である。
【図３】  植物育成用光源の該略図である。
【図４】  植物育成用光源を取付けた培養棚の正面図である。
【符号の説明】
１…植物育成用光源、２…枠体、３…光源、４…プリント基板、５…発光ダイオード、６…電源接続用コネクタ、１１…コネクタ受
【図１】
0003778683.tif 000002
【図２】
0003778683.tif 000003
【図３】
0003778683.tif 000004
【図４】
0003778683.tif 000005